(57)【要約】【課題】  排水管を配管した後であっても、排水管と壁面に開口する壁孔との隙間を覆うことができ、施工性を向上させることができる。【解決手段】  洗面ボールの排水口５から壁面５８に開口する壁孔を介して壁内に配管される手洗側排水管３６と、この手洗側排水管３６と壁面５８に開口する壁孔との間の隙間を覆う塞ぎ部材４５とを備え、塞ぎ部材４５は中央に手洗側排水管３６が挿入可能な孔を有し、この孔の内縁から塞ぎ部材４５の外縁に渡って一箇所分断され、この分断された箇所を押し広げることにより孔に手洗側排水管３６が挿入され、手洗側排水管３６と壁孔との間の隙間を覆う。また塞ぎ部材４５は互いに突き合わせ可能な二枚の板部材からなり、これら二枚の板部材を突き合わせたときに手洗側排水管３６が挿入可能な孔を形成する切欠きが各々形成されるものでも良い。【選択図】              図４
2009061113.tif 000002
【特許請求の範囲】
【請求項１】
壁面の前に設けられる手洗部と、該手洗部に形成された洗面ボールの排水口から前記壁面に開口する壁孔を介して壁内または壁外に配管される排水管と、該排水管と前記壁孔との間の隙間を覆う塞ぎ部材とを備え、該塞ぎ部材は中央に前記排水管が貫通可能な孔を有し、該孔の内縁から該塞ぎ部材の外縁に渡って一箇所分断され、該分断された箇所を押し広げることにより前記孔に前記排水管が挿入され、該排水管と前記壁孔との間の隙間を覆ってなる手洗装置。
【請求項２】
壁面の前に設けられる手洗部と、該手洗部に形成された洗面ボールの排水口から前記壁面に開口する壁孔を介して壁内または壁外に配管される排水管と、該排水管と前記壁孔との間の隙間を覆う塞ぎ部材とを備え、該塞ぎ部材は互いに突き合わせ可能な複数の板部材からなり、これら複数の板部材を突き合わせたときに前記排水管が貫通可能な孔を形成する切欠きが各々形成され、これら複数の板部材を突き合わせて形成された孔に前記排水管が挿入され、該排水管と前記壁孔との間の隙間を覆ってなる手洗装置。
【発明の詳細な説明】
【技術分野】
【０００１】
本発明は、手洗装置に係り、特に手洗装置の排水管が壁孔を貫通する箇所の隙間を覆う手洗装置に関する。
【背景技術】
【０００２】
従来の手洗装置としては、たとえば手洗器の下に収納ボックスを有する配管カバーを設け、手洗器の排水口からトラップを介して排水管を収納ボックスの側方に沿って垂下させ、さらに、排水管を曲管状の接続管にて床に設けた排水配管の接続口（本発明における塞ぎ部材に相当）と接続するものが知られている。（特許文献１）。
【特許文献１】特許第３５６０２８１号公報
【発明の開示】
【発明が解決しようとする課題】
【０００３】
しかしながら、この手洗装置は、手洗器の排水をその下の床に設けた排水配管に流して行うものであるから、手洗器の排水口から床の配管接続口に配管する施工は、配管の微妙な位置合せが必要であり、かつ接続口は前もって接続管に挿入しておくことが必要であり、このため接続口の大きさ、形状に制約を与えるとともに施工が煩雑であった。
【０００４】
本発明の課題は、排水管を配管した後であっても、排水管と壁面に開口する壁孔との隙間を覆うことができ、施工性を向上させることができることである。
【課題を解決するための手段】
【０００５】
上記課題を解決するため本発明は、壁面の前に設けられる手洗部と、該手洗部に形成された洗面ボールの排水口から前記壁面に開口する壁孔を介して壁内または壁外に配管される排水管と、該排水管と前記壁孔との間の隙間を覆う塞ぎ部材とを備え、該塞ぎ部材は中央に前記排水管が貫通可能な孔を有し、該孔の内縁から該塞ぎ部材の外縁に渡って一箇所分断され、該分断された箇所を押し広げることにより前記孔に前記排水管が挿入され、該排水管と前記壁孔との間の隙間を覆ってなる手洗装置である。
【０００６】
このようにすることにより、孔の内縁から塞ぎ部材の外縁に渡って一箇所分断されているので、この分断された箇所のところで塞ぎ部材を押し広げ排水管を孔に挿入するようにできる。これにより排水管が先に取り付けられた場合であっても、後から塞ぎ部材によって排水管と壁面に開口する壁孔との間の隙間を覆うことができる。また、塞ぎ部材の大きさ、形状を比較的自由に決めることができる。さらに、排水管を取り付ける施工性が向上する。さらに、壁孔を通して室内側に浸入する悪臭や湿気あるいは小動物の侵入を防止できる。
【０００７】
また、本発明は、壁面の前に設けられる手洗部と、該手洗部に形成された洗面ボールの排水口から前記壁面に開口する壁孔を介して壁内または壁外に配管される排水管と、該排水管と前記壁孔との間の隙間を覆う塞ぎ部材とを備え、該塞ぎ部材は互いに突き合わせ可能な複数の板部材からなり、これら複数の板部材を突き合わせたときに前記排水管が挿入可能な孔を形成する切欠きが各々形成され、これら複数の板部材を突き合わせて形成された孔に前記排水管が挿入され、該排水管と前記壁孔との間の隙間を塞いでなる手洗装置である。
【０００８】
このようにすることによって、塞ぎ部材は複数の板部材から形成される。したがって、排水管が先に取り付けられた場合であっても、後から複数の板部材から形成された塞ぎ部材を排水管の周りに取り付けることによって排水管と壁面に開口する壁孔との間の隙間を覆うことができる。また、塞ぎ部材の大きさ、形状を比較的自由に決めることができる。さらに、排水管を取り付ける施工性が向上する。さらに、壁孔を通して室内側に浸入する悪臭や湿気あるいは小動物の侵入を防止できる。
【０００９】
次に本発明を構成する各要件についてさらに詳しく説明する。本発明の手洗装置は、個別住宅、集合住宅などのトイレの手洗装置をはじめその他の手洗装置を含む。
【００１０】
手洗部は、洗面ボールと排水口を有し壁面の前に設けられるが、この場合壁面に当接して設けられても良いし、壁面から離れた状態で設けられても良い。また、手洗部は、床に置かれるキャビネットまたは枠（または枠部）ないし台の上に設けられても良い。さらに、手洗部とキャビネットまたは枠（または枠部）ないし台とが一体的に形成されても良い。
【００１１】
排水管は、洗面ボールの排水口と壁内または壁外の排水管とを接続するもの、すなわち手洗側排水管を意味する。さらに、排水管はフレキシブル性または可撓性を有するものが良い。フレキシブル性または可撓性を有する排水管とすることにより壁内または壁外の排水口に対して位置合わせが容易になり接続し易くなる。
【００１２】
塞ぎ部材は、壁面に開口する壁孔とこの壁孔を介して壁内または壁外に配管される排水管との間の隙間を覆うものであるが、一部材から形成される場合と、複数の板部材から形成される場合がある。壁孔は、個別住宅のように壁の表面板に開けられた壁孔や、集合住宅のように壁自体がコンクリートなどの場合には壁自体に形成された孔が壁面に開口する部分を含む。
【００１３】
一部材から形成される塞ぎ部材は、その中央に上記排水管が挿入可能な孔を有するが、この孔の内縁から塞ぎ部材の外縁に渡って一箇所分断されている。その分断形態は、スリット状または線状であり、この分断箇所で左右分離している。この分断された箇所を押し広げることにより中央の孔に排水管が挿入され、排水管と壁面に開口する壁孔との間の隙間を覆う。したがって、一部材から形成される塞ぎ部材は、可撓性を有することが必要である。０．３〜２．５ｍｍ程度の鉄板、アルミニウム板、銅板あるいは合成樹脂板である場合には一般に可撓性を有するので塞ぎ部材として使用することができる。
【００１４】
さらに、一部材から形成される塞ぎ部材の孔の形状は、排水管が挿入された状態で排水管の外面と孔の内縁との間にできるだけ隙間ができない形状とすることが望ましい。その形状は円孔または長孔が一般的である。一部材から形成される塞ぎ部材の外形は、分断箇所を無視した正面視形状が円形、長円形、楕円形、矩形、多角形、その他の異形などである。
【００１５】
複数の板部材からなる塞ぎ部材は、その板部材の一側の外縁に切欠きを有し、切欠きのある辺同士を突き合わせた状態において排水管が通ることが可能な孔が形成される。複数の板部材を突き合わせた外形形状は、正面視円形、長円形、楕円形、矩形、多角形、その他の異形などである。因みに、各板部材は必ずしも可撓性を有する必要はない。また、一部材から形成される塞ぎ部材も、複数の板部材から形成される塞ぎ部材も、壁に取り付けるためのビス孔が設けられると良い。
【発明の効果】
【００１６】
本発明によれば、手洗装置の排水管を接続した後であっても、排水管と壁面に開口する壁孔との間の隙間を覆うことができるので、排水配管の施工が簡便になり、施工性を向上させることができる。
【発明を実施するための最良の形態】
【００１７】
以下、本発明に係る手洗装置の実施形態を図面を使用して詳細に説明する。なお、図１〜９において、同一または同等部分には同一符号を付けて示す。
【００１８】
図１〜８は、トイレに設けられる手洗装置の第１実施例を示すもので、図１は本発明の手洗装置を示す正面図、図２は図１における右側面図、図３は図１における平面図、図４は第１実施例の手洗装置を示す破断斜視図、図５は図４の分解斜視図、図６は図１におけるＡ−Ａ線断面図、図７は第１実施例の手洗装置における塞ぎ部材を示す正面図、図８は第１実施例の手洗装置において手洗側排水管と外部側排水管とを接続パッキンで接続した状態の断面図、を各々示す。
【００１９】
図１〜３に示すように、第１実施例の手洗装置１は、洗面ボール４を有する手洗部３およびこの手洗部３から下方に延長される枠部１３からなる本体２と、左右方向の右側に設けられるカバー部材２２と、左右方向の左側に設けられる扉部材２７とから形成される。本体２は、手洗部３と枠部１３とが一体に成形され、床５６から浮かされた状態で本体２の背面が壁面５８に当接されて設けられる。手洗部３は、手洗い用の洗面ボール４、給水栓９を取り付けるための給水栓取付部１１およびバックガード７を有する。バックガード７は手洗いの際に壁を汚すことを防止する。
【００２０】
本体２を壁面に固定する方法は、たとえば一対のフック受け金具およびフック掛け金具を用い、壁面にフック受け金具を固定し、本体側にフック掛け金具を固定して本体側のフック掛け金具を壁面のフック受け金具に掛けることにより固定することができる。さらに、枠部１３の背面板部２０（後述）を利用してビスにより枠部１３（または本体２）を壁に取り付ければ確実である。
【００２１】
図３に示すように、洗面ボール４の底に排水口５が設けられるが、その位置は洗面ボール４の右側寄りである。さらに、手洗部３の右側に給水栓９が取り付けられる。
【００２２】
図４に示すように、手洗側排水管３６は、可撓性を有し、洗面ボールの排水口５から壁内に設けられた外部側排水管４４までトラップ３７を介して接続するものである。
【００２３】
図５に示すように、枠部１３の構造は、左縦枠１４、右縦枠１５、下枠１６、中央の中央枠１９および左側略半分に設けた背面板部２０から形成される。これら四つの左縦枠１４、右縦枠１５および背面板部２０は枠部１３の強度メンバーとなっている。背面板部２０には上下二箇所の孔１７、１７が設けられている。
【００２４】
枠部１３の右側略半分には給排水管を壁に通すための配置空間が設けられる。このため枠部１３の右側略半分の背面および底には連続した一つの孔２１が設けられている。また、カバー部材２２（図５などに図示）を枠部１３に着脱可能に取り付けるため、枠部１３の右側表面上下に四つの凸状の着脱部１８が設けられる。着脱部１８は面ファスナー、永久磁石などである。枠部１３の左縦枠１４には扉部材２７を回転可能に取り付けるためのヒンジ３０が上下に一箇所ずつ設けられる。
【００２５】
カバー部材２２は、カバー部２３と、これに延長して形成される収納部２６とを有する。カバー部２３は給排水管の配置空間を前側から覆い、収納部２６は扉部材の裏側に位置する収納空間を形成する。さらに、カバー部材２２側にも枠部１３の凸状の着脱部１８の位置に対応させて、面ファスナーまたは永久磁石などの着脱部（図示せず）が設けられる。カバー部２３の上左寄りには凹み２４が形成され手差しとなっている。
【００２６】
カバー部２３と扉部材２７は、その前面外観が左右対称で略同外観に形成されるが、図３から分かるように、外側に凸面形状である。図４に示されているように、カバー部材２２および扉部材２７の下側は、内側方向に後退する傾斜面２５、２８が形成されており、垂直面との角度αは１５°である。また、洗面ボールの外側の縁に沿って金属帯板を利用したタオル掛け１２が設けられる。
【００２７】
図６に示すように、塞ぎ部材４５は、壁面５８に開口する壁孔５９に挿入される手洗側排水管３６の周りに発生する隙間を覆う。
【００２８】
図７に示すように、第１実施例の手洗装置における塞ぎ部材４５は、中央に手洗側排水管３６（図５などに表示）が挿入可能な孔４８を有する。孔４８の形状は長孔状である。さらに、この孔４８の内縁４９から塞ぎ部材４５の外縁５０に渡って一箇所分断されている。この分断された箇所（分断部分５１）を押し広げることにより孔４８に手洗側排水管３６を挿入させることができる。また、塞ぎ部材４５は、四隅にビス孔５４を有し、壁面にビスで固定することができる。
【００２９】
図８に示すように、手洗側排水管３６と外部側排水管４４とは接続パッキン３８により接続される。接続パッキン３８の形状は、二重構造で、内筒３９と外筒４０とが一端側の円環４１によりつながっている。さらに外筒４０は二段筒構造であり、一端側に小径筒部４０ｂが形成され、これに延長して大径筒部４０ａが形成されている。この図では外部側排水管４４が大径筒部４０ａに嵌合されている。小径筒部４０ｂに嵌合する外部側排水管を使用することもできる。
【００３０】
内筒３９の内側、外筒４０の内側には、それぞれ水密用の突起４２，４３が形成されている。パッキン３８の材質は、比較的軟らかい合成ゴム、合成樹脂材などから形成されるが、特に、水密用の突起４２，４３部分については、排水管の外壁に密着するように軟質部とする。手洗側排水管３６は、接続パッキンの内筒３９を貫通し、その先端３６ａは内筒３９の下端より下方位置にある。
【００３１】
実施例の手洗装置における手洗側排水管３６の取付方法について、図４を利用して説明する。予め、手洗装置本体２を壁面５８に対して床（図示せず）から浮かした状態で固定しておく。次に、洗面ボール４の排水口５からトラップ３７を介して手洗側排水管３６を接続パッキン３８を用いて外部側排水管４４に接続する。そして、塞ぎ部材４５の分断部分のところを開いて手洗側排水管３６を通した後、塞ぎ部材のビス孔５４を利用して塞ぎ部材４５を壁面５８に取り付ける。これにより壁面に開口する壁孔と手洗側排水管３６との周りに発生する隙間を覆うことができる。
【００３２】
図９は、本発明の手洗装置における別の塞ぎ部材を示し、（ａ）は第２実施例の手洗装置における塞ぎ部材の正面図、（ｂ）は第３実施例の手洗装置における塞ぎ部材の正面図、をそれぞれ示す。図９（ａ）に示すように、第２実施例の手洗装置における塞ぎ部材は、正面視外形形状が略円形である。ビス孔５４は互いに１２０度の内角を有する放射状線上に設けられている。第２実施例の手洗装置において、本体、カバー部材、扉部材、手洗側排水管と外部側排水管との接続方法、その他の構成と作用は、図１〜８に示した第１実施例の手洗装置と同じであるので、その説明を省略する。
【００３３】
図９（ｂ）に示すように、第３実施例の手洗装置における塞ぎ部材４７は、互いに突き合わせ可能な二枚の板部材５２ａ、５２ｂからなる。これら二枚の板部材５２ａ、５２ｂは、各々正面視外形形状が略矩形状であるが、さらに、これら二枚の板部材５２ａ、５２ｂにおいて、切欠きのある辺同士を突き合わせたときに手洗側排水管３６（図４などに図示）が挿入可能な孔を形成する切欠き５３ａ、５３ｂが各々形成されている。また、各板部材５２ａ、５２ｂは、四隅にビス孔５４を有する。二枚の板部材５２ａ、５２ｂを突き合わせて形成された孔に手洗側排水管３６が挿入され手洗側排水管３６と壁面に開口する壁孔との間の隙間を覆う。第３実施例の手洗装置において、本体、カバー部材、扉部材、手洗側排水管と外部側排水管との接続方法、その他の構成と作用は、図１〜８に示した第１実施例の手洗装置と同じであるので、その説明を省略する。
【００３４】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３５】
本発明の手洗装置は、個別住宅、集合住宅などのトイレの手洗装置をはじめその他の手洗装置に利用可能である。
【図面の簡単な説明】
【００３６】
【図１】本発明の第１実施例の手洗装置を示す正面図である。
【図２】図１における右側面図である。
【図３】図１における平面図である。
【図４】第１実施例の手洗装置を示す破断斜視図である。
【図５】図４の分解斜視図である。
【図６】図１におけるＡ−Ａ線断面図である。
【図７】第１実施例の手洗装置における塞ぎ部材を示す正面図である。
【図８】第１実施例の手洗装置において手洗側排水管と外部側排水管とを接続パッキンで接続した状態の断面図である。
【図９】本発明の手洗装置における別の塞ぎ部材を示し、（ａ）は第２実施例の手洗装置における塞ぎ部材の正面図、（ｂ）は第３実施例の手洗装置における塞ぎ部材の正面図、をそれぞれ示す。
【符号の説明】
【００３７】
１  手洗装置
２  本体
３  手洗部
４  洗面ボール
５  排水口
１３  枠部
２２  カバー部材
２７  扉部材
３６  手洗側排水管
３８  接続パッキン
４４  外部側排水管
４５、４６，４７  塞ぎ部材
４８  孔
４９  内縁
５０  外縁
５１  分断部分
５２  板部材
５３  切欠き
５８  壁面
５９  壁孔
【図１】
2009061113.tif 000003
【図２】
2009061113.tif 000004
【図３】
2009061113.tif 000005
【図４】
2009061113.tif 000006
【図５】
2009061113.tif 000007
【図６】
2009061113.tif 000008
【図７】
2009061113.tif 000009
【図８】
2009061113.tif 000010
【図９】
2009061113.tif 000011